(57)【要約】復調処理を行う復調処理部と、デマックス処理等を行う処理部と、復調処理部と処理部との間に配置された、シンク信号線、バリッド信号線、クロック信号線、データ信号線を備えたインターフェースにおいて、データ信号を２ビットのパラレル伝送として伝送することを特徴とする信号処理装置である。  図７
2019142416.tif 000002
【特許請求の範囲】
【請求項１】
復調処理を行う復調処理部と、デマックス処理を行う処理部と前記復調処理部と前記処理部との間に配置された、シンク信号線、バリッド信号線、クロック信号線、データ信号線を備え、
前記シンク信号線、前記バリッド信号線、前記クロック信号線、前記データ信号線を用いて、前記復調処理部と前記処理部との間で、固定長パケットおよび可変長パケットを伝送する信号処理装置。
【請求項２】
前記可変長パケットは、ＴＬＶパケットであることを特徴とする請求項１に記載の信号処理装置。
【請求項３】
前記可変長パケットはＴＬＶパケットであり、前記ＴＬＶパケットのパケットヘッダ領域にパケットにエラーがあるか否かを表すエラー情報が含まれている請求項１に記載の信号処理装置。
【請求項４】
前記可変長パケットはＴＬＶパケットであり、前記ＴＬＶパケットに含まれるパケット種別に関する情報が書き込まれている領域に、パケットエラー情報が含まれている請求項１に記載の信号処理装置。
【請求項５】
前記エラー情報を伝送するエラー信号線をさらに備える請求項３に記載の信号処理装置。
【請求項６】
前記エラー情報は、誤り訂正符号単位で伝送する、または可変長パケット単位で伝送をする請求項３に記載の信号処理装置。
【請求項７】
前記データ信号線は、１乃至８本配線され、配線されている本数に応じたシリアル伝送またはパラレル伝送を行う請求項１に記載の信号処理装置。
【請求項８】
前記データ信号線は、１乃至８ビットの任意のビット幅で行わる請求項１に記載の信号処理装置。
【請求項９】
前記データ信号線は、可変長ＴＬＶパケットのＴＬＶ系列または固定長であるＴＳパケットまたは可変長ＴＬＶパケットから変換された固定長ＴＳパケット（分割ＴＬＶ）のＴＳ系列で構成されたパケットの先頭であるヘッダ部分の同期バイトから開始し、順番に８ビットのビット列ごとにデータを伝送することを特徴とした請求項１に記載の信号処理装置。
【請求項１０】
前記同期バイトから８ビットのビット列ごとに伝送するデータにおいて、前記データ信号線において、２ビットパラレル伝送を行う場合、出力順で７ビット、５ビット、３ビット、１ビット、および６ビット、４ビット、２ビット、０ビットの出力をそれぞれ割り当てたことを特徴とする請求項９に記載の信号処理装置。
【請求項１１】
前記同期バイトから８ビットのビット列ごとに伝送するデータにおいて、前記データ信号線において、２ビットパラレル伝送を行う場合、出力順で１ビット、３ビット、５ビット、７ビット、および０ビット、２ビット、４ビット、６ビットの出力をそれぞれ割り当てたことを特徴とする請求項９に記載の信号処理装置。
【請求項１２】
前記同期バイトから８ビットのビット列ごとに伝送するデータにおいて、前記データ信号線において、２ビットパラレル伝送を行う場合、出力順で３ビット、２ビット、１ビット、０ビット、および７ビット、６ビット、５ビット、４ビットの出力をそれぞれ割り当てたことを特徴とする請求項９に記載の信号処理装置。
【請求項１３】
前記同期バイトから８ビットのビット列ごとに伝送するデータにおいて、前記データ信号線において、２ビットパラレル伝送を行う場合、出力順で０ビット、１ビット、２ビット、３ビット、および４ビット、５ビット、６ビット、７ビットの出力をそれぞれ割り当てたことを特徴とする請求項９に記載の信号処理装置
【請求項１４】
前記シンク信号線、バリッド信号線、クロック信号線、データ信号線は、出力インターフェースにＬＶＤＳ（Low voltage differential signaling）を用いたものであることを特徴とする請求項１に記載の信号処理装置。
【請求項１５】
２ビットパラレル伝送を行う場合、その出力端子として複数あるデータ出力のうち２本を割り当てたことを特徴とする請求項１０に記載の信号処理装置。
【請求項１６】
２ビットパラレル伝送を行う場合、その出力端子として８本あるデータ出力のうち２本を割り当てたことを特徴とする請求項１０に記載の信号処理装置。
【請求項１７】
複数の搬送波を受信するシステムで、前記複数の搬送波を合成する合成部への入力に、複数本あるデータの出力のうち２ビットパラレル出力で使用している以外の複数本を割り当てることを特徴とする請求項１５に記載の信号処理装置。
【請求項１８】
前記複数の搬送波を受信するシステムで、前記複数の搬送波を合成する合成部への入力に、８本あるデータの出力のうち２ビットパラレル出力で使用している以外の６本を割り当てることを特徴とする請求項１５に記載の信号処理装置。
【請求項１９】
前記複数の搬送波を受信するシステムで、前記複数の搬送波を合成する合成部への入力に、８本あるデータの出力のうち１ビットシリアル出力で使用している以外の６本を割り当てることを特徴とする請求項１５に記載の信号処理装置。
【請求項２０】
復調処理を行う復調処理部と、デマックス処理を行う処理部と前記復調処理部と前記処理部との間に配置された、シンク信号線、バリッド信号線、クロック信号線、データ信号線を備え、
前記シンク信号線、前記バリッド信号線、前記クロック信号線、前記データ信号線を用いて、前記復調処理部と前記処理部との間で、固定長パケットおよび可変長パケットを伝送する信号処理方法。
【発明の詳細な説明】
【技術分野】
【０００１】
本技術は、大容量の高速デジタルデータを、伝送する受信装置に適用可能な信号処理装置および信号処理方法に関する。
【背景技術】
【０００２】
例えば、 デジタル放送では、 画像（動画）等が、ＭＰＥＧ（ Moving Picture Experts Group）等の所定のエンコー ド方式でエンコードされ、その結果得られるエンコードデータがペイロードに配置されたＴＳ(Transport Stream）パケットで構成されるＴＳを含む放送波が送信されており、そのような放送波を受信して処理する受信機も普及している。【０００３】
放送波は、ＴＳを送信機から各受信機までに送信させるために送信機によって搬送波を使い変調（例えば１つの例でＢＳデジタル衛星放送の場合はＩＳＤＢ−Ｓ放送方式でＴＣ８ＰＳＫの変調方式、ケーブルテレビ放送の場合はＩＳＤＢ−Ｃ放送方式で６４ＱＡＭの変調方式)を行っている。【０００４】
また、一つの搬送波を用いて複数のＴＳを多重化して伝送する手法があり、現在のＢＳ／ＣＳデジタル放送の多重フレーム構造は、１フレームあたり４８個のスロットから成り立ち、４８個のスロットを分割して複数のチャンネルを多重化することができる。【０００５】
現在のケーブルテレビの多重フレーム構造はＴＳＭＦ（Transport Streams Multiplexing Frame）と呼ばれ、ＴＳＭＦ構造は、１フレームあたり５３個のスロットから成り立ち、そのうち１個のヘッダスロットと５２個のＴＳ配置用スロットから成り立っている。この５２個のスロットを分割して複数のチャンネルを多重化することができる。【０００６】
一方で４Ｋ、８Ｋ放送といった現行のＨＤ放送テレビより高精細な映像や臨場感のある音楽を提供するサービスが始まろうとしており、これらサービスには現行のデジタルテレビ放送よりも大容量のデジタルデータの伝送が必要になる。【０００７】
この大容量のデジタルデータを伝送させるための手段として可変等パケットであるＩＰ（Internet Protocol)を用いた放送（例えば高度ＢＳ放送ではＴＬＶ「Type Length Value 」パケットが用いられている）が考えられている。このＴＬＶパケットを用いた高度ＢＳ放送は放送方式ＩＳＤＢ−Ｓ３と呼ばれ、１フレームあたり１２０個のスロットから成り立ち、１２０個のスロットを分割して４Ｋ放送の場合最大３個、８Ｋ放送の場合最大１個のチャンネルを多重化できる。【０００８】
ＴＬＶパケットが用いられる高度ＢＳ放送は、放送衛星から放送波を各家庭の受信機まで直接送信するサービスや、ケーブルテレビ網を使って再送信するサービスが考えられている。しかしながら、直接的に家庭で受信する場合は、受信機を高度ＢＳのＴＬＶパケットに変調させた搬送波（放送波）を受信できるものに変更すれば良いが、ケーブルテレビ網を使用する場合は家庭の受信機の置き換えだけでなくケーブルテレビ網の設備も変更する必要性がでてくる。【０００９】
そこでできるだけコストをかけずに現在使用しているケーブルテレビ網の設備を使用して大容量のデジタルデータを伝送する技術も提案されている（特許文献１、特許文献２および非特許文献１、非特許文献２）。【００１０】
この方式は放送衛星から送信された高度ＢＳのＴＬＶパケットを変調させた搬送波をいったんケーブルテレビテレビ局で受信し、そこで既存の設備であるケーブルテレビ伝送路に合わせた固定長ＴＳパケットである放送方式（ＩＳＤＢ−Ｃ）に変換して再送信する方式である。可変長ＴＬＶパケットから固定長ＴＳパケットへ変換したパケットを、通常の固定長ＴＳパケットと区別できるように分割ＴＬＶパケットと呼ぶこともできる。【００１１】
またこの方式はＴＳＭＦを用いて大容量のデジタルデータを複数の搬送波に分割して周波数多重伝送するもので、現在のデジタル放送のケーブルテレビ再送信で採用されているＩＳＤＢ−Ｃ放送方式の６４ＱＡＭまたは２５６ＱＡＭの変調方式の組み合わせで周波数分割多重を行うものである。この時、受信側では、各搬送波を復調した信号から合成に必要な情報としてＴＳＭＦから搬送波の周波数情報と分割した順序である合成順序の情報を取得し、同期合成して４Ｋ、８Ｋ放送信号を再生する。
【先行技術文献】
【特許文献】
【００１２】
【特許文献１】特許第５１４５２６１号
【特許文献２】特開２０１２-２０９６７５号公報
【非特許文献】
【００１３】
【非特許文献１】ＮＨＫ技研Ｒ＆Ｄ  Ｎｏ．１５７  ２０１６年５月，「８Ｋケーブルテレビ配信の実現に向けた複数搬送波伝送方式」
【非特許文献２】ＮＨＫ技研Ｒ＆Ｄ  Ｎｏ．１５２  ２０１５年８月，「８Ｋスーパーハイビジョンの伝送技術
【発明の概要】
【発明が解決しようとする課題】
【００１４】
前述した技術は、放送衛星によって送信された４Ｋ、８Ｋ放送といった大容量／高速デジタルデータの放送波（搬送波）をチューナで周波数選局し、可変長ＴＬＶパケットとして復調処理を行い、デマックス（多重分離）処理およびデコード処理を行う後段の処理部へ伝送する手段を前提としている。あるいは、放送衛星によって送信された可変長ＴＬＶパケットをケーブルテレビ局で固定長ＴＳパケット（分割ＴＬＶ）に変換し、大容量のデジタルデータを分割して伝送容量を小さくし、複数の搬送波を使った既存の放送方式ＩＳＤＢ−Ｃに周波数多重して再送信し、送られてきた各搬送波の周波数を各チューナでそれぞれ選択し、可変長ＴＬＶパケットから分割された固定長ＴＳパケット（分割ＴＬＶ）として復調処理を行い、デマックス処理およびデコード処理を行う後段の処理部へ伝送する手段を前提としている。【００１５】
しかしながら、大容量／高速デジタルデータの可変長ＴＬＶパケットとして復調処理を行った場合や複数の可変長ＴＬＶパケットから分割された複数の固定長ＴＳパケット（分割ＴＬＶ）をそれぞれ復調して再び大容量／高速デジタルデータに戻し合成した後の大容量／高速デジタルデータを復調処理部から後段のデマックス処理およびデコード処理を行う処理部へ伝送する場合の手段に関し、前述した文献には具体的に開示されていない。【００１６】
例えば大容量／高速デジタルデータを復調処理部から後段のデマックス処理およびデコード処理を行う処理部へ伝送する場合、シリアル伝送ではクロックやデータの周波数が高くなり、復調処理部と処理部の物理的距離が長いと、復調処理部と処理部間を結ぶ配線の寄生インダクタや寄生キャパシタ容量、寄生抵抗の影響により大容量／高速デジタルデータの前記復調処理部からの出力波形がなまり、遅延が発生したり、波形くずれ処理部において処理ができなくなる。また、出力波形がリンギングを起こし、スプリアスが発生してノイズ（ＥＭＩ「 Electromagnetic interference 」）として搬送波の周波数を選択するチューナ回路等の周囲に影響を与えて信号の品質を劣化させる。【００１７】
したがって、本技術の目的は、大容量／高速デジタルデータを復調処理部から後段のデマックス処理およびデコード処理を行う処理部へ伝送する場合に、波形のなまりを防止し、スプリアスの発生を抑えることができる信号処理装置および信号処理方法を提供することにある。
【課題を解決するための手段】
【００１８】
本技術は、復調処理を行う復調処理部と、デマックス処理を行う処理部と復調処理部と処理部との間に配置された、シンク信号線、バリッド信号線、クロック信号線、データ信号線を備え、シンク信号線、バリッド信号線、クロック信号線、データ信号線を用いて、復調処理部と処理部との間で、固定長パケットおよび可変長パケットを伝送する信号処理装置である。また、本技術は、復調処理を行う復調処理部と、デマックス処理を行う処理部と復調処理部と処理部との間に配置された、シンク信号線、バリッド信号線、クロック信号線、データ信号線を備え、シンク信号線、バリッド信号線、クロック信号線、データ信号線を用いて、復調処理部と処理部との間で、固定長パケットおよび可変長パケットを伝送する信号処理方法である。【００１９】
データ信号線は、１乃至８本配線され、 配線されている本数に応じたシリアル伝送またはパラレル伝送を行うようにすることができる。大容量／高速デジタルデータを復調処理部から後段のデマックス処理およびデコード処理を行う処理部へ伝送する場合、シリアル伝送の場合、周波数が高く配線の寄生素子の影響を受けやすくなるが、パラレル伝送をすれば伝送データの伝送レートを下げることができ、寄生素子の影響を受けにくくすることができる。【００２０】
また、パラレル伝送をする場合、パラレルの数を増やせば増やすほど伝送レートを下げることが可能となるが、複数のデータの配線が多く必要になり、復調処理部と処理部が搭載されている基板の面積を占有したり、処理部の端子を多くとる必要がでてくるため、処理部が対応できない場合が生じるため、配線の寄生素子の影響を受けにくく、かつ基板の面積を確保し、処理部の端子の数を少なくできる２ビットパラレルが最適である。【００２１】
また、周波数多重伝送した複数の分割した搬送波をそれぞれ復調処理で復調して合成する場合、例えば３個の復調処理部のデータとクロック信号をそれぞれ１本ずつ別の復調処理部へ接続する場合、合成する復調処理部において６本の端子が必要になるが、複数あるパラレル出力伝送用のデータ端子を使用して端子の数を多くすることなく３個の復調処理部から合成する別の復調処理部へ入力することが可能となる。例えば８本のパラレル出力伝送の端子がある場合、６本を入力、２本の２ビットパラレル出力として８本のパラレル出力用端子を余すところなく活用できる。
【発明の効果】
【００２２】
少なくとも一つの実施形態によれば、２ビットパラレル伝送をすることによりシリアル伝送に比べ伝送レートを低くすることができるために、配線の寄生素子の影響を受けにくくでき、大容量／高速デジタルデータを復調処理部から後段のデマックス処理およびデコード処理を行う処理部へ確実に伝送できる。かつ基板の面積を確保し、処理部の端子の数を少なくできる。なお、ここに記載された効果は必ずしも限定されるものではなく、本技術中に記載されたいずれかの効果又はそれらと異質な効果であっても良い。また、以下の説明における例示された効果により本技術の内容が限定して解釈されるものではない。
【図面の簡単な説明】
【００２３】
【図１】図１は、ケーブルテレビの多重フレーム構造であるＴＳＭＦ構造を示す図である。
【図２】図２は、本技術を適用した受信機の一実施の形態の構成を示す図である。
【図３】図３は、デジタルケーブルテレビ放送に関わるシステムの構成を示す図である。
【図４】図４は、復調処理部と処理部の間に基板配線の等価回路を模擬した放送システムの構成を示す図である。
【図５】図５Ａ乃至図５Ｃは、処理部に入力される波形の例を示す図である。
【図６】図６は、復調処理部と処理部との間に設けられている信号線について説明するための図である。
【図７】図７は、２ビットパラレル伝送の場合でデータの出力にそれぞれ偶数ビット、奇数ビットを割り当てた図である。
【図８】図８Ａ乃至図８Ｄは２ビットパラレル伝送の場合で、それぞれのデータ線から出力されるデータのタイミングチャート図である。
【図９】図９は、エラーの発生を示すエラー情報を伝送する１ビットの信号線をさらに備える構成を示す図である。
【図１０】図１０は、出力インターフェースにＬＶＤＳ（Low voltage differential signaling）信号を用いた構成を示す図である。
【図１１】図１１はＴＳＭＦを用いて大容量のデジタルデータを複数の搬送波に分割して周波数多重伝送する方式を示した一例を示した図である。
【図１２】図１２は、周波数に対する３つの搬送波の位置を表した図である。
【図１３】図１３は図１１の別の形態であり４つの搬送波を使って周波数多重伝送する方式を示した一例の図である。
【図１４】図１４は、周波数に対する４つの搬送波の位置を表した図である。
【図１５】図１５は本技術の周波数多重伝送方式を用いて４つの複数の搬送波を受信する受信機のシステム概略図である。
【発明を実施するための形態】
【００２４】
以下に説明する実施の形態は、本技術の好適な具体例であり、技術的に好ましい種々の限定が付されている。しかしながら、本技術の範囲は、以下の説明において、特に本技術を限定する旨の記載がない限り、これらの実施の形態に限定されないものとする。
【００２５】
＜受信システム＞
図１はケーブルテレビの多重フレーム構造であるＴＳＭＦ構造を示す図である。ＴＳＭＦ構造は、１フレームあたり５３個のスロットから成り立ち、そのうち１個のヘッダスロットと５２個のＴＳ配置用スロットから成り立っている。この５２個のスロットを分割して複数のチャンネルを多重化することができる。このＴＳＭＦヘッダには、同期データ（０×４７）とフレーム構造「固定長（１８８バイト）」における各ＴＳの位置（スロット）情報、伝送多重信号（ＴＭＣＣ「 Transmission and Multiplexing Configuration and Control」）等の情報をもっている。
【００２６】
図２は、放送衛星によって送信された４Ｋ、８Ｋ放送といった大容量／高速デジタルデータの放送波（搬送波）を受信する受信システムの一例を示す。受信システムは、アンテナ２、受信機１、およびディスプレイ６を含む構成とされている。受信機１は、チューナ３、復調処理部４、処理部５を含む構成とされている。復調処理部４は、復調部７と誤り訂正部８を含む構成とされている。処理部５は、多重分離部（Demux）９とデコーダ１０を含む構成とされている。
【００２７】
アンテナ２は、例えば、送信機から送信されてきたＴＬＶ方式のデジタル放送波を受信し、その結果得られる受信信号を、受信機１に供給する。受信機１は、アンテナ２からの受信信号から、ＴＬＶを復元して処理し、映像や音声を取り出し、ディスプレイ６に出力する。
【００２８】
誤り訂正部８は、復調部７からの復調信号の誤り訂正を行い、その結果得られるＴＬＶ等の信号を、処理部５に供給する。処理部５は、例えばＳＯＣ（System-on-a-chip）で構成することができる。処理部５は、デマックス処理、例えば、動画コンテンツを、映像部分、音声部分、字幕部分などに分ける処理を行う。
【００２９】
処理部５には、復調処理部４が出力する出力信号であるシンク信号、バリッド信号、データ信号、および、クロック信号が供給される。処理部５の多重分離部９は、データ信号中に含まれる例えば、映像データや音声データを分離し、デコーダは、映像デーを映像信号にデコードしたり、音声データを音声信号にデコードしたりすることで、映像や音声の信号を生成し、ディスプレイ６に出力する。
【００３０】
＜ケーブル再送信への適用＞
図３は、デジタルケーブルテレビ放送に関わるシステムの構成を示す図である。衛星放送を受信するアンテナ１１、送信機１２、および受信機１を含む構成とされている。アンテナ１１で受信された衛星放送は、送信機（ケーブルテレビ局）１２に供給される。送信機１２は、衛星チューナ１３とケーブル再送信変換部１４を含む構成とされている。送信機１２は、デジタルケーブルテレビ放送を行う放送局側の装置であり、アンテナ１１で受信された衛星放送の放送波をデジタルケーブルテレビ放送の放送波に変換し、受信機側にケーブルテレビの伝送路１５を通して送信する。
【００３１】
受信機１は、図２に示した受信機と同様の構成を有している。（よって、同様の符号を付し、その説明は省略する）。ただし、図３に示した受信機１のチューナ３は、伝送路１５を介して送信されてきたデジタル放送波を受信し、処理する。
【００３２】
衛星放送は、上記したように、ＴＬＶ方式のデジタル放送波として放送され、アンテナ１１で受信される。送信機１２は、ＴＬＶ方式のデジタル放送波を、デジタルケーブルテレビ放送の放送波、例えば、固定長ＴＳパケット（分割ＴＬＶ）に変換して送信する。これは複数の搬送波を使った既存のＩＳＤＢ−Ｃ規格でケーブル再送信が行われる場合である。
【００３３】
＜受信機における問題点＞
図４は大容量／高速デジタルデータを復調処理部４から後段のデマックス処理およびデコード処理を行う処理部５へ伝送する場合で、復調処理部４と処理部５の間に基板配線２０の等価回路を模擬した図である。基板配線２０の材質や基板により寄生抵抗（Ｒ）、寄生インダクタ（Ｌ）、寄生キャパシタ容量（Ｃ）の寄生素子が配線に付加される。この基板配線２０に周波数が高い信号が伝送されると、これら寄生素子の影響により大容量／高速デジタルデータの復調処理部４からの出力波形がなまり、遅延が発生したり、波形がくずれ処理部５において処理ができなくなる。
【００３４】
また、出力波形がリンギングを起こす。リンギングによってスプリアスが発生してノイズ（ＥＭＩ）として搬送波の周波数を選択するチューナ回路等の周囲に影響を与えて信号の品質を劣化させる。図５Ａ（理想波形）が図５Ｂに示すようになまったり、図５Ｃに示すように、出力波形がリンギングを起こす。このように、処理部５に入力される波形が寄生素子の影響でくずれ、電圧が処理部５のハイレベル／ローレベルを認識する閾値まで上がらなかったり、リンギングが発生してノイズが発生した波形になる。
【００３５】
＜信号線について＞
ところで、従来の受信機として、例えば、固定長ＴＳパケットを処理する機器があった。そのような機器においても、可変長ＴＬＶパケットが処理できるようにするために、また、新たな機器として可変長ＴＬＶパケットを処理するために、以下に説明する処理が行われる。もちろん以下の処理は固定長ＴＳパケットの処理としても同等に行われる。
【００３６】
図６は、復調処理部４と処理部５との間に設けられている信号線について説明するための図である。復調処理部４は、復調処理を扱うＬＳＩとすることができる。また処理部５は、デマックス処理を扱うＬＳＩとすることができる。復調処理部４は、後段の処理部５が処理することができる（処理部５が要求する条件を満たす）ように、データを出力する必要がある。
【００３７】
本技術によれば、復調処理部４は、処理部５が要求する条件を満たす形で復調したデータを供給することができる。以下の説明では、復調処理部４と処理部５は、異なるＬＳＩとして構成されている場合を例に挙げて説明する。
【００３８】
図６に示すように、復調処理部４と処理部５との聞には、４本の信号線（シリアル伝送の場合）が配置されている。４本の信号線のうち、１本は、シンク（SYNC）信号を伝送する１ビットの信号線とされ、１本は、バリッド（VALID)信号を伝送する１ビット信号線とされ、１本は、クロック（CLK)信号を伝送する１ビット信号線とされ、１本は、データ（DATA）信号を伝送する１ビットの信号線とされている。データ信号線は、１ビットから８ビットに対応し、１乃至８本の信号線で構成される可能性がある。
【００３９】
例えば、シリアル伝送の場合、データ信号線は１本で構成され、８ビットデータ信号線は、８本で構成される。パラレル伝送のパラレル伝送の場合、データは、８ビットに限らず、何ビットでも良く、そのビット数に合った信号線が配線される。以下に説明するように、本技術においては、データ信号線の本数（クロック信号の１周期で伝送するビット数）に応じて、シンク信号、バリッド信号、クロック信号をそれぞれ制御することができる。
【００４０】
また、図７は２ビットパラレル伝送の場合でDATAの出力にそれぞれ偶数ビット、奇数ビットを割り当てた図である。データの各ビットは、MSBから順にLSBまで、またはLSBから順にMSBまで、クロックの立ち上がりまたは立ち下がりで復調処理部４から出力され、処理部５ではクロックの立ち上がりまたは立ち下がりでデータを受けとる（ラッチする）ことができる。
【００４１】
これら２ビットは８本あるパラレル出力の２ビットを使って出力するが、他のデータの出力端子を使用しても良い。また２ビットのビットの構成は、図８に示すような割り当てでもよい。図８は２ビットパラレル伝送の場合で、それぞれのデータ線から出力されるデータのタイミングチャート図である。
【００４２】
また、図９に示すように、エラー（ERR)の発生を示すエラー情報を伝送する１ビットの信号線をさらに備える構成としても良い。ここで示した信号線は、一例であり、他の信号を伝送する信号線が、復調処理部４と処理部５との間に設けられていても勿論良い。
【００４３】
また、図１０は、出力インターフェースにＬＶＤＳ（Low voltage differential signaling）信号を用いたものである。ＬＶＤＳ信号は立ち上がり時間が短縮でき高速化に適しており、また、正負の信号を同時に出力するために信号が対称性でありノイズ（ＥＭＩ）の発生をしにくくできるメリットがある。
【００４４】
表１は各パケットのヘッダ領域の先頭ある同期バイトに関して説明した図である。
【００４５】
【表１】
2019142416.tif 000003
【００４６】
出力パケット形態は２種類あり、可変長ＴＬＶパケット、固定長ＴＳパケット（分割ＴＬＶ）である。
パケットのヘッダの一部の割り当てとして、常に複数のパケットを同期させるためにパケットのヘッダ領域の先頭に同期バイトが割り当てられている。
これを１６進数で表現すると、可変長ＴＬＶパケットでは”０×７Ｆ”、固定長ＴＳパケット（分割ＴＬＶ）では”０×４７”となる。なお、（０×）は１６進数という意味である。
また、２進数で表現すると可変長ＴＬＶパケットでは”８’ｂ０１１１＿１１１１”、固定長ＴＳパケット（分割ＴＬＶ）では“８’ｂ０１００＿０１１１”となる。なお、（８’）は８ビットの２進数でという意味である。
【００４７】
表２および表３は、２ビットパラレル伝送される場合の２ビットがどのようなデータであるか実施例を示した表である。
【００４８】
【表２】
2019142416.tif 000004
【００４９】
これらを図８Ａ〜図８Ｄの伝送の場合、どのようなデータになるか説明をする。
図８Ａは偶数ビットと奇数ビットの各ビットを同時に、かつ MSB (most significant Bit) から順に LSB(Least Significant Bit) までを伝送する場合である。
【００５０】
この場合、可変長ＴＬＶパケットでは偶数ビットのMSBである６ビット目から伝送するので６ビット目の”１”を伝送し、次に４ビット目を伝送するので”１”を伝送する。これを０ビット目の”１”まで繰り返して伝送を行う。
【００５１】
奇数ビット のMSBである７ビット目から伝送するので７ビット目の”０”を伝送し、次に５ビット目を伝送するので”１”を伝送する。これを１ビット目の”１”まで繰り返して伝送を行う。
【００５２】
固定長ＴＳパケット（分割ＴＬＶ）では偶数ビットのMSBである６ビット目から伝送するので６ビット目の”１”を伝送し、次に４ビット目を伝送するので”０”を伝送する。これを０ビット目の”１”まで繰り返して伝送を行う。
【００５３】
奇数ビットのMSBである７ビット目から伝送するので７ビット目の”０”を伝送し、次に５ビット目を伝送するので”０”を伝送する。これを１ビット目の”１”まで繰り返して伝送を行う。
【００５４】
図８Ｂは偶数ビットと奇数ビットを同時に、かつLSBから順にMSBまでを伝送する場合である。
【００５５】
これは前述したMSBからLSBの伝送の逆の順で伝送することになり、自明であるためにここでは説明を省略する。
【００５６】
図８Ｃは４ビットから７ビット目と０ビットから３ビット目の各ビットを同時に、かつMSBから順にLSBまでを伝送する場合である。
【００５７】
この場合、可変長ＴＬＶパケットでは４ビットから７ビット目のMSBである７ビット目から伝送するので７ビット目の”０”を伝送し、次に６ビット目を伝送するので”１”を伝送する。これを４ビット目の”１”まで繰り返して伝送を行う。
【００５８】
０ビットから３ビット目の場合のMSBである３ビット目から伝送するので３ビット目の”１”を伝送し、次に２ビット目を伝送するので”１”を伝送する。これを０ビット目の”１”まで繰り返して伝送を行う。
【００５９】
固定長ＴＳパケット（分割ＴＬＶ）では４ビットから７ビット目の場合のMSB である７ビット目から伝送するので７ビット目の”０”を伝送し、次に６ビット目を伝送するので”１”を伝送する。これを４ビット目の”０”まで繰り返して伝送を行う。
【００６０】
０ビットから３ビット目の場合のMSBである３ビット目から伝送するので３ビット目の”０”を伝送し、次に２ビット目を伝送するので”１”を伝送する。これを０ビット目の”１”まで繰り返して伝送を行う。
【００６１】
図８Ｄは４ビットから７ビット目と０ビットから３ビット目の各ビットを同時に、かつLSBから順にMSBまでを伝送する場合である。これは前述したMSBからLSBの伝送の逆の順で伝送することになり、自明であるためにここでは説明を省略する。
【００６２】
＜複数の搬送波について＞
図１１はＴＳＭＦを用いて大容量のデジタルデータを複数の搬送波に分割して周波数多重伝送する方式の一例を示す図であり、ケーブルテレビ局２１とケーブルテレビ伝送路２４と受信機３１からなる。ケーブルテレビ局２１には可変長ＴＬＶパケットデータ（８Ｋ信号）と固定長パケットＴＳデータ（ＨＤ信号）がそれぞれ供給され、分割多重回路２２によって多重化される。
【００６３】
８Ｋの約１００ＭHzの信号は、ケーブルテレビの１チャンネル（６ＭHz）では伝送できないので、３チャンネルに分割して伝送される。可変長ＴＬＶパケットデータは固定長ＴＳパケット（分割ＴＬＶ）へ変換され、ＩＳＤＢ−Ｃ放送方式の６４ＱＡＭまたは２５６ＱＡＭの変調方式の組み合わせで周波数分割多重され、そしてケーブルテレビ伝送路を通して受信機に送信される。このため、ケーブルテレビ局２１には、２５６ＱＡＭ変調回路２３ａ、２５６ＱＡＭ変調回路２３ｂおよび６４ＱＡＭ変調回路２３ｃが設けられている。
【００６４】
受信機３１では複数のチューナ３２ａ、３２ｂおよび３２ｃによって、図１２に示すように周波数分割されたそれぞれの搬送波であるＲＦ信号を選択し、ＩＦ信号に周波数変換する。図１２は、周波数に対する３つの搬送波の位置を表し、８Ｋ放送（１放送）とＨＤ放送（１放送）を周波数多重した場合を示す。
【００６５】
復調処理部３３は、２５６ＱＡＭの復調回路３５ａ、３５ｂおよび６４ＱＡＭの復調回路３５ｃを有し、各復調回路の復調出力が合成回路３６によって合成される。復調処理部３３によってＩＳＤＢ−Ｃ放送方式のそれぞれの変調方式６４ＱＡＭ、２５６ＱＡＭの搬送波が復調され、復調された信号の合成がなされる。分割多重された信号である８Ｋ信号またはＨＤ信号を抜き出して後段の多重分離部３７によるデマックス処理およびデコーダ３８によるデコード処理を行う処理部３４へ伝送する。
【００６６】
図１３は図１１の別の形態であり４つの搬送波を使って周波数多重伝送する方式の一例を示す図である。ケーブルテレビ局４１の分割多重化回路４２には可変長ＴＬＶパケットデータ（４Ｋ信号）がそれぞれ供給され、可変長ＴＬＶパケットデータは固定長ＴＳパケット（分割ＴＬＶ）へ変換される。分割多重化回路４２の出力が６４ＱＡＭ変調回路４３ａ、４３ｂ、４３ｃ、４３ｄに供給され、ＩＳＤＢ−Ｃ放送方式の６４ＱＡＭの変調方式の組み合わせで周波数分割多重される。そしてケーブルテレビ伝送路４４を通して受信機５１に送信される。
【００６７】
受信機５１では複数のチューナ５２ａ、５２ｂ、５２ｃ、５２ｄで図１４に示すように周波数分割されたそれぞれの搬送波であるＲＦ信号を選択し、ＩＦ信号に周波数変換する。チューナ５２ａ〜５２ｄの出力がそれぞれ６４ＱＡＭ復調回路５５ａ、５５ｂ、５５ｃ、５５ｄに供給される。復調回路５５ａ〜５５ｄの復調出力が合成回路５６に供給される。
【００６８】
図１４は、４Ｋ放送を３放送分、周波数多重した場合を示す。復調処理部５３の６４ＱＡＭ復調回路５５ａ、５５ｂ、５５ｃ、５５ｄによってＩＳＤＢ−Ｃ放送方式の変調方式６４ＱＡＭの搬送波を復調し、合成回路５６によって復調された信号の合成を行い、分割多重された信号である４Ｋ信号を抜き出して後段の多重分離部５７によるデマックス処理およびデコーダ５８によるデコード処理を行う処理部５１に供給される。
【００６９】
＜本技術により複数の搬送波を受信する場合＞
図１５は、図１４に示すような周波数多重伝送方式を用いて４つの複数の搬送波を受信する受信機に本技術を適用したシステムの概略図である。受信機では４つのチューナ６１ａ、６１ｂ、６１ｃ、６１ｄによって、周波数分割されたそれぞれの搬送波であるＲＦを選択し、復調群６２に供給する。
【００７０】
復調群６２は、復調処理部６４ｄを含む復調回路６３と、復調処理部６４ａ、復調処理部６４ｂ、復調処理部６４ｃを有する。復調回路６３は、さらに、複数搬送波合成回路および出力Ｉ／Ｆ（インターフェース）６５を有する。かかる復調群６２によってＩＳＤＢ−Ｃ放送方式の変調方式の搬送波を復調し、復調された信号の合成を行い、分割多重された信号である信号を抜き出して後段のデマックス処理およびデコード処理を行う処理部６６へ伝送する。処理部６６は、多重分離部６７およびデコーダ６８を有する。
【００７１】
チューナ６１ｄから出力されたＩＦ信号が復調回路６３の復調処理部６４ｄのＡＤＣ（Ａ／Ｄコンバータ）に入力され、復調された後に複数搬送波合成回路６５に入力される。また、復調処理部６４ａ、６４ｂ、６４ｃからそれぞれ出力された複数搬送波合成前ＴＳ信号ＴＳ１、ＴＳ２、ＴＳ３が復調回路６３の複数搬送波合成回路および出力Ｉ／Ｆ６５に入力される。複数搬送波合成回路および出力Ｉ／Ｆ６５からは、固定長パケット（ＴＳ）、可変長パケット（ＴＬＶ）又は単一ＴＳが出力される。
【００７２】
複数搬送波合成回路および出力Ｉ／Ｆ６５の出力インターフェースはSYNC、VALID、CLKおよび２ビットのDATA端子があり、２ビットパラレル伝送の場合でDATAの出力にそれぞれ偶数ビット、奇数ビットを割り当てている例である。DATA端子として８ビットパラレル出力まで可能としており、端子が８本用意されていた場合、復調処理部６４ａ、６４ｂ、６４ｃからの入力と２ビットパラレル出力で全て余すところなく端子を活用できる。また、２ビットパラレル出力でなく１ビットシリアル出力の出力インターフェース形態でも勿論良い。また、２ビットパラレル伝送の場合でDATAの出力割り当ては偶数ビット、奇数ビットでなくても勿論良い。
【００７３】
＜変形例＞
以上、本技術の一実施の形態について具体的に説明したが、本技術は、上述の一実施の形態に限定されるものではなく、本技術の技術的思想に基づく各種の変形が可能である。また、上述の実施形態において挙げた構成、方法、工程、形状、材料及び数値などはあくまでも例に過ぎず、必要に応じてこれと異なる構成、方法、工程、形状、材料及び数値などを用いてもよい。
【００７４】
なお、本技術は、以下のような構成も取ることができる。
（１）
復調処理を行う復調処理部と、デマックス処理を行う処理部と前記復調処理部と前記処理部との間に配置された、シンク信号線、バリッド信号線、クロック信号線、データ信号線を備え、
前記シンク信号線、前記バリッド信号線、前記クロック信号線、前記データ信号線を用いて、前記復調処理部と前記処理部との間で、固定長パケットおよび可変長パケットを伝送する信号処理装置。
（２）
前記可変長パケットは、ＴＬＶパケットであることを特徴とする（１）に記載の信号処理装置。
（３）
前記可変長パケットはＴＬＶパケットであり、前記ＴＬＶパケットのパケットヘッダ領域にパケットにエラーがあるか否かを表すエラー情報が含まれている（１）に記載の信号処理装置。
（４）
前記可変長パケットはＴＬＶパケットであり、前記ＴＬＶパケットに含まれるパケット種別に関する情報が書き込まれている領域に、パケットエラー情報が含まれている（１）に記載の信号処理装置。
（５）
前記エラー情報を伝送するエラー信号線をさらに備える（３）に記載の信号処理装置。
（６）
前記エラー情報は、誤り訂正符号単位で伝送する、または可変長パケット単位で伝送をする（３）に記載の信号処理装置。
（７）
前記データ信号線は、１乃至８本配線され、配線されている本数に応じたシリアル伝送またはパラレル伝送を行う（１）に記載の信号処理装置。
（８）
前記データ信号線は、１乃至８ビットの任意のビット幅で行わる（１）に記載の信号処理装置。
（９）
前記データ信号線は、可変長ＴＬＶパケットのＴＬＶ系列または固定長であるＴＳパケットまたは可変長ＴＬＶパケットから変換された固定長ＴＳパケット（分割ＴＬＶ）のＴＳ系列で構成されたパケットの先頭であるヘッダ部分の同期バイトから開始し、順番に８ビットのビット列ごとにデータを伝送することを特徴とした（１）に記載の信号処理装置。
（１０）
前記同期バイトから８ビットのビット列ごとに伝送するデータにおいて、前記データ信号線において、２ビットパラレル伝送を行う場合、出力順で７ビット、５ビット、３ビット、１ビット、および６ビット、４ビット、２ビット、０ビットの出力をそれぞれ割り当てたことを特徴とする（９）に記載の信号処理装置。
（１１）
前記同期バイトから８ビットのビット列ごとに伝送するデータにおいて、前記データ信号線において、２ビットパラレル伝送を行う場合、出力順で１ビット、３ビット、５ビット、７ビット、および０ビット、２ビット、４ビット、６ビットの出力をそれぞれ割り当てたことを特徴とする（９）に記載の信号処理装置。
（１２）
前記同期バイトから８ビットのビット列ごとに伝送するデータにおいて、前記データ信号線において、２ビットパラレル伝送を行う場合、出力順で３ビット、２ビット、１ビット、０ビット、および７ビット、６ビット、５ビット、４ビットの出力をそれぞれ割り当てたことを特徴とする（９）に記載の信号処理装置。
（１３）
前記同期バイトから８ビットのビット列ごとに伝送するデータにおいて、前記データ信号線において、２ビットパラレル伝送を行う場合、出力順で０ビット、１ビット、２ビット、３ビット、および４ビット、５ビット、６ビット、７ビットの出力をそれぞれ割り当てたことを特徴とする（９）に記載の信号処理装置
（１４）
前記シンク信号線、バリッド信号線、クロック信号線、データ信号線は、出力インターフェースにＬＶＤＳ（Low voltage differential signaling）を用いたものであることを特徴とする（１）から（６）までの何れかに記載の信号処理装置。
（１５）
２ビットパラレル伝送を行う場合、その出力端子として複数あるデータ出力のうち２本を割り当てたことを特徴とする（１０）から（１４）までの何れかに記載の信号処理装置。
（１６）
２ビットパラレル伝送を行う場合、その出力端子として８本あるデータ出力のうち２本を割り当てたことを特徴とする（１０）から（１４）までの何れかに記載の信号処理装置。
（１７）
複数の搬送波を受信するシステムで、複数の搬送波を合成する合成部への入力に、複数本あるデータの出力のうち２ビットパラレル出力で使用している以外の複数本を割り当てることを特徴とする（１５）または（１６）に記載の信号処理装置。
（１８）
複数の搬送波を受信するシステムで、複数の搬送波を合成する合成部への入力に、８本あるデータの出力のうち２ビットパラレル出力で使用している以外の６本を割り当てることを特徴とする（１５）または（１６）に記載の信号処理装置。
（１９）
複数の搬送波を受信するシステムで、複数の搬送波を合成する合成部への入力に、８本あるデータの出力のうち１ビットシリアル出力で使用している以外の６本を割り当てることを特徴とする（１５）または（１６）に記載の信号処理装置。
（２０）
復調処理を行う復調処理部と、デマックス処理を行う処理部と前記復調処理部と前記処理部との間に配置された、シンク信号線、バリッド信号線、クロック信号線、データ信号線を備え、
前記シンク信号線、前記バリッド信号線、前記クロック信号線、前記データ信号線を用いて、前記復調処理部と前記処理部との間で、固定長パケットおよび可変長パケットを伝送する信号処理方法。
【符号の説明】
【００７５】
６１ａ、６１ｂ、６１ｃ、６１ｄ・・・チューナ、６２・・・復調群、
６３・・・復調回路、６４ａ、６４ｂ、６４ｃ、６４ｄ・・・復調処理部，
６５・・・複数搬送波合成回路および出力Ｉ／Ｆ、６６・・・処理部、
６７・・・多重分離部、６８・・・デコーダ
【図１】
2019142416.tif 000005
【図２】
2019142416.tif 000006
【図３】
2019142416.tif 000007
【図４】
2019142416.tif 000008
【図５】
2019142416.tif 000009
【図６】
2019142416.tif 000010
【図７】
2019142416.tif 000011
【図８】
2019142416.tif 000012
【図９】
2019142416.tif 000013
【図１０】
2019142416.tif 000014
【図１１】
2019142416.tif 000015
【図１２】
2019142416.tif 000016
【図１３】
2019142416.tif 000017
【図１４】
2019142416.tif 000018
【図１５】
2019142416.tif 000019
【国際調査報告】
2019142416.tif 000020
2019142416.tif 000021
2019142416.tif 000022